(57)【要約】【課題】印字記録途中あるいは印字記録後排紙トレーに積載された状態で、記録媒体上の画像方向が常にユーザからみて正立するように出力し記録画像の確認が容易に行えるようにする。【解決手段】記録媒体の排出方向が異なる複数の設置形態のうち、現在使用されている設置形態に応じて印字記録される画像方向を変換して出力する。【選択図】　　　　図１
2004042437.tif 000002
【特許請求の範囲】
【請求項１】
印字記録後の記録媒体の排出方向が異なる複数の設置形態を有し、ユーザが任意に設置形態を選択可能な印字記録装置において、現在使用されている設置形態を判別する設置形態判別手段と、前記設置形態判別手段により判別された設定形態情報に応じて印字記録される画像の方向を決定する画像方向決定手段と、前記画像方向決定手段により決定される画像方向に応じて印字記録される画像の記録媒体上での方向を変換する画像方向変換手段を持ち、現在使用されている設置形態に応じて記録媒体上に印字記録される画像の方向を変換して出力することを特徴とする印字記録装置。
【請求項２】
前記印字記録装置は複数の異なる設置形態に応じて設置面と接触する面に接触センサを持ち、前記設置形態判別手段は前記接触センサにより設置面と接触している面を検出することにより設置形態を判別することを特徴とする請求項１に記載の印字記録装置。
【請求項３】
前記印字記録装置はユーザが操作可能な操作パネルを持ち、前記設置形態判別手段はユーザが設置形態に応じて操作パネルにより設定することを特徴とする請求項１に記載の印字記録装置。
【請求項４】
印字記録後の記録媒体の排出方向が異なる複数の設置形態をユーザが状況に応じて任意に選択可能な印字記録装置と、前記印字記録装置とインタフェースケーブルを介して接続されたホストコンピュータからなる印字記録システムにおいて、現在使用されている設置形態を判別する設置形態判別手段と、前記設置形態判別手段により判別された設定形態情報に応じて印字記録される画像の方向を決定する画像方向決定手段と、前記画像方向決定手段により決定される画像方向に応じて印字記録される画像の記録媒体上での方向を変換する画像方向変換手段を持ち、現在使用されている設置形態に応じて記録媒体上に印字記録される画像の方向を変換して出力することを特徴とする印字記録システム。
【請求項５】
前記印字記録装置は複数の異なる設置形態に応じて設置面と接触する面に接触センサを持ち、前記設置形態判別手段は前記接触センサにより設置面と接触している面を検出することにより設置形態を判別することを特徴とする請求項４に記載の印字記録システム。
【請求項６】
前記印字記録装置はユーザが操作可能な操作パネルを持ち、前記設置形態判別手段はユーザが設置形態に応じて操作パネルにより設定することを特徴とする請求項４に記載の印字記録システム。
【請求項７】
前記設定形態判別手段はユーザが設置形態に応じて前記ホストコンピュータの画面上で設定することを特徴とする請求項４に記載の印字記録システム。
【発明の詳細な説明】
【０００１】
【発明の属する技術分野】
本発明は、印字記録装置および印字記録装置を利用した印字記録システムに関するものであり、特に印字記録後の記録媒体の排出方向が異なる複数の設置形態を有し、ユーザが任意に設置形態を選択可能な印字記録装置およびそれを利用した印字記録システムに関するものである。
【０００２】
【従来の技術】
従来、印字記録装置においては、印字記録画像の記録媒体上での方向は印字記録画像のレイアウトによって一定としていた。
【０００３】
【発明が解決しようとする課題】
しかしながら、印字記録後の記録媒体の排出方向が異なる複数の設置形態を有し、ユーザが任意に設置形態を選択可能な印字記録装置においては、ユーザが選択した設置形態によって排出方向が異なるにもかかわらず記録媒体上の印字記録画像方向が一定なため、印字記録途中の画像方向がユーザから見て正立に配されたり倒立に配されたりするため、設置形態によっては印字記録途中あるいは印字記録後排紙トレーに積載された状態での印字記録画像を確認しにくいという問題があった。
【０００４】
【課題を解決するための手段】
本発明は上記の問題点を解決するためになされたものであり、本発明による印字記録装置は、印字記録後の記録媒体の排出方向が異なる複数の設置形態を有し、ユーザが任意に設置形態を選択可能な印字記録装置において、現在使用されている設置形態を判別する設置形態判別手段と、前記設置形態判別手段により判別された設定形態情報に応じて印字記録される画像の方向を決定する画像方向決定手段と、前記画像方向決定手段により決定される画像方向に応じて印字記録される画像の記録媒体上での方向を変換する画像方向変換手段を持ち、現在使用されている設置形態に応じて記録媒体上に印字記録される画像の方向を変換することを特徴とする。
【０００５】
また、本発明による印字記録システムは、印字記録後の記録媒体の排出方向が異なる複数の設置形態をユーザが状況に応じて任意に選択可能な印字記録装置と、前記印字記録装置とインタフェースケーブルを介して接続されたホストコンピュータからなる印字記録システムにおいて、現在使用されている設置形態を判別する設置形態判別手段と、前記設置形態判別手段により判別された設定形態情報に応じて印字記録される画像の方向を決定する画像方向決定手段と、前記画像方向決定手段により決定される画像方向に応じて印字記録される画像の記録媒体上での方向を変換する画像方向変換手段を持ち、現在使用されている設置形態に応じて記録媒体上に印字記録される画像の方向を変換することを特徴とする。
【０００６】
（作用）
本発明によれば、ユーザが選択した設置形態に応じて、常にユーザから見て記録画像が正立する方向に印字記録動作を行うことができ、印字記録途中あるいは印字記録後排紙トレーに積載された状態での印字記録画像の確認が容易に行えるようになる。
【０００７】
【発明の実施の形態】
（実施例１）
図１は、本発明の第１の実施例としての印字記録装置１の構成を示す模式図である。シート状の記録媒体２は給紙トレー３に積載され、これより給紙ローラ４により１枚づつピックアップされる。給紙ローラ４によりピックアップされた記録媒体２は記録領域の前後に配置された搬送ローラ５、６によって指示され、両ローラが回転することにより矢印Ａ方向へ搬送される。搬送ローラ５と６の間にはこれと平行にガイドシャフト７が設けられており、このガイドシャフト７上をキャリッジ８が矢印Ｂ、Ｃ方向に往復駆動される。キャリッジ８上には印字記録ヘッド９が搭載されており、キャリッジ８を往復駆動しながら印字記録ヘッド９に駆動電圧を印加することにより記録媒体２上に印字記録が行われる。印字記録が完了した記録媒体２はそのまま搬送ローラ５、６によって矢印Ａ方向へ搬送され、排紙トレー１０上へ排紙積載される。印字記録装置１の外装上のＸ面、Ｙ面にはそれぞれ接触センサ１１、１２が設けられており、いずれの面が設置面と接触しているかを検出することにより印字記録装置１の設置形態を判別することが可能である。
【０００８】
図２は、本実施例における印字記録装置１の制御系を示すブロック図である。マイクロプロセッサ形態のＣＰＵ１３は内部バス１４を介して接続されたＲＯＭ形態のプログラムメモリ１５に格納された制御プログラムおよびＲＡＭ形態のデータメモリ１６の内容にしたがって動作し、インタフェース制御回路１７からインタフェースケーブル１８を介して接続されたホストコンピュータ１９より印字データを受信し、ＲＡＭ形態の印字バッファメモリ２０に印字記録データ画像を作成する。１ページ分の印字記録画像データを作成後、ＣＰＵ１３はモータドライバ２１を介してキャリッジモータ２２や記録媒体送りモータ２３を制御するとともに、画像方向変換手段２４を介して印字バッファメモリ２０上に作成された印字記録画像データを読み出し、読み出された印字記録画像データに基づきヘッド制御回路２５を介して印字記録ヘッド９への駆動電圧を制御することにより印字記録動作を行う。また、外装面Ｘ、Ｙに設けられた接触センサ１１、１２の状態は逐次ＣＰＵ１３から読み出し可能であり、必要時にいつでも印字記録装置１の設置形態を判別することが可能である。
【０００９】
図３は、本実施例における印字記録装置１の第１の設置形態を示す図である。本設置形態では、排紙トレー１０が印字記録装置１の上面奥寄りに配置され、印字記録済みの記録媒体２は先端が上を向く方向で排紙されて排紙トレー１０に積載される。したがって本設置形態の場合は、記録画像の上方から下方に向かって印字記録動作を行えば、印字記録途中あるいは排紙トレー１０に積載後の記録媒体２上の記録画像がユーザから見て正立する方向に印字される。なお本設置形態は、外装面Ｘに設けられた第１の接触センサ１１がオンすなわち接触状態であることを検出することにより判別可能である。
【００１０】
図４は、本実施例における印字記録装置１の第２の設置形態を示す図である。本設置形態では、排紙トレー１０が印字記録装置１の前面下寄りに配置され、印字記録済みの記録媒体２はユーザから見て先端が手前を向く方向で排紙されて排紙トレー１０に積載される。したがって本設置形態の場合は、記録画像の下方から上方に向かって印字記録動作を行えば、印字記録途中あるいは排紙トレー１０に積載後の記録媒体２上の記録画像がユーザから見て正立する方向に印字される。なお本設置形態は、外装面Ｙに設けられた第２の接触センサ１２がオンすなわち接触状態であることを検出することにより判別可能である。
【００１１】
図５は、本実施例におけるＣＰＵ１３の処理手順を示すフローチャートである。ＣＰＵ１３はホストコンピュータ１９からの印字データを受信し（ステップＳ０１）、印字バッファメモリ２０上へ展開する（ステップＳ０２）。次にＣＰＵ１３は接触センサ１１、１２の状態を調べる（ステップＳ０３）。第１の接触センサ１１がオンの場合は、印字記録装置１が第１の設置形態であることを示しており、この場合は印字記録後の記録媒体２はユーザから見て先端が上を向いて排紙され排紙トレー１０に積載されるため、ＣＰＵ１３は画像方向変換手段２５を介して記録画像の上方から下方に向かって印字記録画像を印字バッファメモリ２０から読み出し、印字記録動作を行う（ステップＳ０４）。一方、ステップＳ０３において第２の接触センサ１２がオンだった場合には、印字記録装置１が第２の設置形態であることを示しており、この場合は印字記録後の記録媒体２はユーザから見て先端が手前を向いて排紙され排紙トレー１０に積載されるため、ＣＰＵ１３は画像方向変換手段２５を介して記録画像の下方から上方へ向かって印字記録画像を印字バッファメモリ２０から読み出し、印字記録動作を行う（ステップＳ０５）。
【００１２】
以上の処理を行うことにより、いずれの設置形態においても印字記録動作中あるいは排紙トレー１０積載後の記録媒体２上の記録画像が常にユーザから見て正立する方向に印字記録動作を行うことが可能となる。
【００１３】
（実施例２）
図６は、本発明の第２の実施例における印字記録システム２６の構成を示すブロック図である。印字記録システム２６は印字記録装置１とホストコンピュータ１９からなり、両者は双方向に通信可能なインタフェースケーブル１８を介して接続されている。
【００１４】
図７は、本実施例において使用される印字記録装置１の制御系を示すブロック図である。マイクロプロセッサ形態のＣＰＵ１３は内部バス１４を介して接続されたＲＯＭ形態のプログラムメモリ１５に格納された制御プログラムおよびＲＡＭ形態のデーメモリ１６の内容にしたがって動作し、インタフェース制御回路１７からインタフェースケーブル１８を介して接続されたホストコンピュータ１９印字データを受信し、印字記録ヘッド９の１走査分の印字記録データを記憶可能なＲＡＭ形態の印字バッファメモリ２０に印字記録データ画像を作成する。次にＣＰＵ１３はモータドライバ２１を介してキャリッジモータ２２や記録媒体送りモータ２３を制御するとともに、印字バッファメモリ２０上に作成された印字記録画像データを順次読み出し、読み出された印字記録画像データに基づきヘッド制御回路２５を介して印字記録ヘッド９への駆動電圧を制御することにより印字記録動作を行う。これをページ終了まで繰り返すことにより１ページ分の印字記録動作を行う。また、外装面Ｘ、Ｙに設けられた接触センサ１１、１２の状態は逐次ＣＰＵ１３から読み出し可能であり、必要時にいつでも印字記録装置１の設置形態を判別することが可能である。
【００１５】
図８は、本実施例におけるホストコンピュータ１９の処理手順を示すフローチャートである。ホストコンピュータ１９は、ユーザの印刷要求に対して印字記録処理を開始するに際し、まず印字記録装置１に設置形態情報要求コマンドを送信し（ステップＳ１１）、印字記録装置１から設置形態情報を受信する（ステップＳ１２）。次にホストコンピュータ１９は、受信した設置形態情報の中身を調べる（ステップＳ１３）。設置形態情報が第１の設置形態であることを示している場合は、印字記録後の記録媒体２はユーザから見て先端が上を向いて排紙され排紙トレー１０に積載されるため、ホストコンピュータ１９は記録画像の上方から下方に向かって印字記録画像を順次作成し（ステップＳ１４）、印字記録装置１へ印字記録画像データを含む印字コマンドを送信する（ステップＳ１５）。一方、ステップＳ１３において設置形態情報が第２の設置形態であることを示している場合は、印字記録後の記録媒体２はユーザから見て先端が手前を向いて排紙され排紙トレー１０に積載されるため、ホストコンピュータ１９は記録画像の下方から上方に向かって印字記録画像を順次作成し（ステップＳ１６）、印字記録装置１へ印字記録画像を送信する（ステップＳ１７）。
【００１６】
図９は、本実施例における印字記録装置１のＣＰＵ１３の処理手順を示すフローチャートである。ＣＰＵ１３は、ホストコンピュータ１９からのコマンドを受信し（ステップＳ２１）、その中身に応じて所定の動作を行う。ホストコンピュータ１９からの受信コマンドが設置形態情報要求コマンドだった場合（ステップＳ２２）には、ＣＰＵ１３は外装面Ｘ、Ｙに設けられた接触センサ１１、１２の状態を調べ（ステップＳ２３）、第１の接触センサ１１がオンの場合は、第１の設置形態であることを示す設置形態情報をホストコンピュータ１９へ送信する（ステップＳ２４）。一方、ステップＳ２３において第２の接触センサ１２がオンの場合は、第２の設置形態であることを示す設置形態情報をホストコンピュータ１９へ送信する（ステップＳ２５）。また、ステップＳ２２で受信したコマンドが印字コマンドであった場合には（ステップＳ２６）、印字コマンドに付加して送られる印字記録画像データを印字バッファメモリ２０に展開し（ステップＳ２７）、順次印字バッファメモリ２０の内容を読み出して印字記録動作を行う（ステップＳ２８）。上記ステップＳ２７からＳ２８を順次繰り返す（ステップＳ２９）ことにより１ページ分の印字記録動作を行う。
【００１７】
以上の処理を行うことにより、いずれの設置形態においても印字記録動作中あるいは排紙トレー１０積載後の記録媒体２上の記録画像が常にユーザから見て正立する方向に印字記録動作を行うことが可能となる。本実施例においては、印字記録画像方向の変換処理をホストコンピュータ１９側でおこなうため、実施例１と比較して印字記録装置１側にページメモリを持つ必要がないという利点もある。
【００１８】
（その他の実施例）
以上説明した実施例においては、設置形態を判別する手段として、外装面Ｘ、Ｙにそれぞれ設けられた接触センサ１１、１２を調べ、第１の接触センサ１１がオンの場合は第１の設置形態、第２の接触センサ１２がオンの場合は第２の設置形態であると判別していたが、接触センサを１つとし、接触センサがオンの場合は第１の設置形態、オフの場合は第２の設置形態であるという判別を行う方法であっても本発明は有効である。
【００１９】
また、接触センサ１１、１２が設けられない場合であっても、ユーザが印字記録装置１の設置形態に応じて印字記録装置１に設けられた操作パネルもしくはホストコンピュータ１９の画面上で設定を行い、それを元に印字記録画像方向を変換する方法であっても本発明は有効である。また、以上説明した実施例においては、設置形態が２つである場合を説明したが、３つあるいはそれ以上の設置形態を持つ場合でも本発明が有効であることはいうまでもない。
【００２０】
【発明の効果】
以上説明したように、本発明によれば、ユーザが選択した設置形態に応じて、常にユーザから見て記録画像が正立する方向に印字記録動作を行うことができ、印字記録途中あるいは印字記録後排紙トレー１０に積載された状態での印字記録画像の確認が容易に行えるようになる。
【図面の簡単な説明】
【図１】本発明の第１の実施例としての印字記録装置１の構成を示す模式図。
【図２】本実施例における印字記録装置１の制御系を示すブロック図。
【図３】本実施例における印字記録装置１の第１の設置形態を示す図。
【図４】本実施例における印字記録装置１の第２の設置形態を示す図。
【図５】本実施例におけるＣＰＵ１３の処理手順を示すフローチャート。
【図６】本発明の第２の実施例における印字記録システム２６の構成を示すブロック図。
【図７】本実施例において使用される印字記録装置１の制御系を示すブロック図。
【図８】本実施例におけるホストコンピュータ１９の処理手順を示すフローチャート。
【図９】本実施例における印字記録装置１のＣＰＵ１３の処理手順を示すフローチャート。
【図１】
2004042437.tif 000003
【図２】
2004042437.tif 000004
【図３】
2004042437.tif 000005
【図４】
2004042437.tif 000006
【図５】
2004042437.tif 000007
【図６】
2004042437.tif 000008
【図７】
2004042437.tif 000009
【図８】
2004042437.tif 000010
【図９】
2004042437.tif 000011